(57)【要約】【課題】  雨量が多い場合であっても、貯留タンク側への雨水を流すか、排水側へ雨水を流すかをユーザの選択通りに確実に雨水の流れを調整することができる雨樋分岐構造を提供する。【解決手段】  竪樋３２に、雨水を分岐する分岐管３７が設けられ、竪樋３２内に、分岐管３２の分岐孔３３下部付近に設けた水平回動軸３９により一端側において回動自在となるように切換弁３４が設けられ、切換弁３４は、一方側に回動して片面側が竪樋内壁面に密着して分岐孔３３を閉塞する位置Ａと、他方側に回動して外周端面が竪樋内壁面に当接して竪樋３２内を斜めに閉塞する位置Ｂとの間にわたって回動することを特徴としている。【選択図】        図１
2005113610.tif 000002
【特許請求の範囲】
【請求項１】
竪樋に、雨水を分岐する分岐管が設けられ、
該竪樋内に、分岐管の分岐孔下部付近に設けた水平回動軸により一端側において回動自在となるように切換弁が設けられ、
該切換弁は、一方側に回動して片面側が竪樋内壁面に密着して前記分岐孔を閉塞する位置と、他方側に回動して外周端面が竪樋内壁面に当接して竪樋内を斜めに閉塞する位置との間にわたって回動することを特徴とする雨水分岐構造。
【請求項２】
前記切換弁を自動的に切り換える切換手段が設けられていることを特徴とする請求項１記載の雨水分岐構造。
【請求項３】
前記切換手段は、
前記水平回動軸に取り付けられたアームと、
該アームに接続されると共に、前記分岐管の先端に設けられる雨水貯留タンクの水位上昇に伴って上昇するフロート体とを具備し、
雨水貯留タンクの水位が低いときには該フロート体が下降して、前記切換弁が竪樋内を閉塞する位置にアームを作動させ、
雨水貯留タンクの水位が高くなったときには前記フロート体が上昇して、前記切換弁が分岐孔を閉塞する位置にアームを作動させることを特徴とする請求項２記載の雨水分岐構造。
【請求項４】
前記切換弁は、竪樋の断面に対して４５度の角度で傾斜して竪樋内を閉塞することを特徴とする請求項１〜請求項３のうちのいずれか１項記載の雨水分岐構造。
【請求項５】
竪樋に、雨水を分岐するための分岐孔が穿設され、
該分岐孔から竪樋内に、Ｌ字状に形成されたＬ字管の一端側が挿入されると共に、分岐孔から竪樋外部にＬ字管の他端側が突出して設けられ、
Ｌ字管は、
一端側が竪樋内で竪樋と平行になって竪樋内を流れる雨水をＬ字管内に導入する位置と、一端側が竪樋に対して直交する方向であって且つ竪樋内を流れる雨水がＬ字管内に導入されずそのまま竪樋を流れるような竪樋の内壁面近傍の位置との間で回動自在に設けられていることを特徴とする雨水分岐構造。
【請求項６】
前記Ｌ字管と前記竪樋とを連結する連結部材が設けられていることを特徴とする請求項５記載の雨水分岐構造。
【請求項７】
雨水を貯留するための雨水貯留タンクと、
該雨水貯留タンクの外壁面上部に設けられ、雨水貯留タンク内部と連通孔を介して連通したサブタンクと、
竪樋から雨水を分岐し、分岐管が前記サブタンク内へ雨水を導入するように設けられた請求項１〜請求項４のうちのいずれか１項に記載の雨水分岐構造とを具備することを特徴とする雨水貯留システム。
【請求項８】
雨水を貯留するための雨水貯留タンクと、
該雨水貯留タンクの外壁面上部に設けられ、雨水貯留タンク内部と連通孔を介して連通したサブタンクと、
竪樋から雨水を分岐するＬ字管に接続された分岐管が前記サブタンク内へ雨水を導入するように設けられた請求項５または請求項６に記載の雨水分岐構造とを具備することを特徴とする雨水貯留システム。
【請求項９】
前記サブタンクがオーバーフロー状態になった場合に竪樋に雨水を流すべく、サブタンクと竪樋とを連結するバイパス管を具備することを特徴とする請求項７または請求項８記載の雨水貯留システム。
【請求項１０】
前記連通孔にはゴミ取り用の網が設けられていることを特徴とする請求項７〜請求項９のうちのいずれか１項記載の雨水貯留システム。
【発明の詳細な説明】
【技術分野】
【０００１】
本発明は、雨樋等に設けられ、雨水を分岐して流す構造、およびこの構造を用いて雨水を貯留する貯留システムに関する。
【背景技術】
【０００２】
水資源の有効利用の一環として雨水を貯留するシステムの設置が近年盛んになっている。  このように雨水を貯留しておくことで、貯留された水を、庭木への散水や火災時における非常用水として利用することができる。
【０００３】
雨水を貯留する装置としては、既設の雨樋に分岐部を設け、分岐したバイパス管の先端にタンクを設ける構造が従来から知られている。
分岐部には、円盤状の遮断器が設けられ、バイパス管側に雨水を流すか、バイパス管には雨水を流さずにそのまま流下させるかを切換えることができる（例えば、特許文献１参照）。
【０００４】
また、既設の雨樋を利用して雨水を分岐させるための構造としては、図１２に示すような構造のものも知られている（例えば、特許文献２参照）。
これによれば、通常の雨樋１０の一部を切り欠いて雨水の取り出し口１１と成し、この取り出し口１１を閉塞して断面が円弧状の取水板１２を設けている。
取水板１２は、支点（図示せず）を中心に矢印方向に回動自在に設けられており、雨水を取り出さない場合には取り出し口１１を閉塞して雨樋１０に沿って一体的に重なるように設けられ、雨水の取り出し時には上端部１２ａが下端部１２ｂよりも下方に位置するように回動して、下端部１２ｂが雨樋１０内部に仕切板となるように位置するように設けられている。
【特許文献１】特開平１０−２５７１１号公報
【特許文献２】特開２００２−１６７９２２号公報
【発明の開示】
【発明が解決しようとする課題】
【０００５】
従来の雨水の分岐構造によれば、雨水の流れを切換えるための機構として、上述したような構成のものしか存在しなかったため、雨量が多くなると雨樋内に設けた仕切板等が水圧によって勝手に回動したりして、分岐させようとする方向に確実に分岐させることができない場合があるという課題があった。
【０００６】
本発明者は、上記課題を解決すべく検討した結果、弁の構造や分岐管の取付け構造に工夫を加えることで、より使い勝手の良い分岐構造を提供できると考え、本発明に想到した。
【０００７】
本発明の目的は、雨量が多い場合であっても、貯留タンク側への雨水を流すか、排水側へ雨水を流すかをユーザの選択通りに確実に雨水の流れを調整することができる雨樋分岐構造、およびこれを用いた雨水貯留システムを提供することにある。
【課題を解決するための手段】
【０００８】
本発明にかかる雨樋分岐構造によれば、竪樋に、雨水を分岐する分岐管が設けられ、該竪樋内に、分岐管の分岐孔下部付近に設けた水平回動軸により一端側において回動自在となるように切換弁が設けられ、該切換弁は、一方側に回動して片面側が竪樋内壁面に密着して前記分岐孔を閉塞する位置と、他方側に回動して外周端面が竪樋内壁面に当接して竪樋内を斜めに閉塞する位置との間にわたって回動することを特徴としている。
この構成を採用することによって、切換弁が分岐孔を閉塞している場合に雨水の量が増加しても雨水の水圧によって切換弁が影響を受けることなく、また切換弁が竪樋を閉塞している場合に雨水の量が増加しても切換弁の上端部は竪樋の内壁面に当接しており、これ以上下方に回動するようなことがないので、雨水の増加によって切換弁が勝手に切り換わってしまうことがなく、ユーザが雨水を流したいと欲している側に確実に雨水を流すことができる。
【０００９】
また、前記切換弁を自動的に切り換える切換手段が設けられていることによれば、ユーザが自ら切換え動作を行なわなくても良く、ユーザの手間を省くことができる。
さらに、前記切換手段は、前記切換手段は、前記水平回動軸に取り付けられたアームと、該アームに接続されると共に、前記分岐管の先端に設けられる雨水貯留タンクの水位上昇に伴って上昇するフロート体とを具備し、雨水貯留タンクの水位が低いときには該フロート体が下降して、前記切換弁が竪樋内を閉塞する位置にアームを作動させ、雨水貯留タンクの水位が高くなったときには前記フロート体が上昇して、前記切換弁が分岐孔を閉塞する位置にアームを作動させることを特徴としてもよい。
この構成によれば、タンクのオーバーフローの防止を図ることができ、しかも水位上昇に伴うフロート体の動作を切換弁の切換え動作の直接の駆動源としているので、低コストで自動切換えを実現することができる。
【００１０】
さらに、前記切換弁は、竪樋の断面に対して４５度の角度で傾斜して竪樋内を閉塞することを特徴としてもよい。
【００１１】
本発明にかかる雨水分岐構造によれば、竪樋に、雨水を分岐するための分岐孔が穿設され、該分岐孔から竪樋内に、Ｌ字状に形成されたＬ字管の一端側が挿入されると共に、分岐孔から竪樋外部にＬ字管の他端側が突出して設けられ、Ｌ字管は、一端側が竪樋内で竪樋と平行になって竪樋内を流れる雨水をＬ字管内に導入する位置と、一端側が竪樋に対して直交する方向であって且つ竪樋内を流れる雨水がＬ字管内に導入されずそのまま竪樋を流れるような竪樋の内壁面近傍の位置との間で回動自在に設けられていることを特徴としている。
この構成を採用することによって、雨水の流れを切換えることができる構成を容易に提供することができる。また、Ｌ字管の一端側を竪樋内に挿入し、一端側を竪樋と平行にすることで竪樋内を流れる雨水を分岐するので、雨量が多くなった場合でも水圧によってＬ字管の位置が勝手に切り換えられてしまうことを防止することができる。
【００１２】
また、前記Ｌ字管と前記竪樋とを連結する連結部材が設けられていることを特徴としてもよい。
これによれば、Ｌ字管を回動させて雨水の流れる方向を切換える際に、Ｌ字管が竪樋から外れてしまったりすることを防止することができる。
【００１３】
本発明にかかる雨水貯留システムによれば、雨水を貯留するための雨水貯留タンクと、該雨水貯留タンクの外壁面上部に設けられ、雨水貯留タンク内部と連通孔を介して連通したサブタンクと、竪樋から雨水を分岐し、分岐管が前記サブタンク内へ雨水を導入するように設けられた請求項１〜請求項４のうちのいずれか１項に記載の雨水分岐構造とを具備することを特徴としている。
この構成を採用することによって、雨樋からの水の分岐がユーザの設定したとおり確実に行なわれるシステムを提供できる。また、雨水貯留タンクの上部にサブタンクを設けたので、雨水貯留タンクが満水状態になるとサブタンク内に雨水が流れ込んで来るので、このサブタンクがオーバーフローを防止する役割を果たすことができる。
【００１４】
また、本発明の雨水貯留システムによれば、雨水を貯留するための雨水貯留タンクと、該雨水貯留タンクの外壁面上部に設けられ、雨水貯留タンク内部と連通孔を介して連通したサブタンクと、竪樋から雨水を分岐するＬ字管に接続された分岐管が前記サブタンク内へ雨水を導入するように設けられた請求項５または請求項６に記載の雨水分岐構造とを具備することを特徴としている。
この構成によっても、雨樋からの水の分岐がユーザの設定したとおり確実に行なわれるシステムを提供できる。また、雨水貯留タンクの上部にサブタンクを設けたので、雨水貯留タンクが満水状態になるとサブタンク内に雨水が流れ込んで来るので、このサブタンクがオーバーフローを防止する役割を果たすことができる。
【００１５】
また、前記サブタンクがオーバーフロー状態になった場合に竪樋に雨水を流すべく、サブタンクと竪樋とを連結するバイパス管を具備してもよい。
これによれば、サブタンクが満水状態になってもそれを解消することができるので、雨水貯留タンクのオーバーフローによる水あふれを確実に防止することができる。
【００１６】
さらに、前記連通孔にはゴミ取り用の網が設けられていることを特徴とすると、雨水貯留タンク内にはゴミを混入させないようにすることができる。
【発明の効果】
【００１７】
本発明の雨水分岐構造によれば、雨量が多くなった場合でも雨樋の内部に設けた弁が水圧によって押圧されて勝手に切換えられてしまうことを防止することができ、雨水を流す方向の切換えを確実にすることができる。
また本発明の雨水貯留システムによれば、雨量が多くなった場合でも雨水を流す方向が勝手に切り換わったりせずに、確実に雨水を貯留できるシステムとすることができる。
【発明を実施するための最良の形態】
【００１８】
竪樋内を流れる雨水をそのまま竪樋内で流すか、あるいは竪樋から分岐させた側へ流すのかを切換弁によって切り換え可能であって、切換弁は雨水が流れてきて切換弁に当接しても雨水の流れ方向には動作しないような構成とした。
【実施例１】
【００１９】
本発明の第1の実施例について説明する。
図１に、雨水分岐構造の側面図を示す。
雨水分岐構造３０は、雨樋として上下方向に延びる竪樋３２から雨水を分岐させる構成であり、竪樋３２と、竪樋３２に設けられた分岐孔３３と、竪樋３２内で雨水の流れを切り換えるための切換弁３４とを有している。本実施例では、竪樋３２内には断面円形の縦孔３６が形成されている。
竪樋３２の側面に形成されている分岐孔３３は、竪樋３２内部の縦孔３６と連通して雨水を流すことができるように設けられている円形の孔である。分岐孔３３の周囲には分岐された雨水を流すための分岐管３７が形成されている。
【００２０】
図２に切換弁の動作の概略を、図３に切換弁の展開図を示し、これらに基づいて切換弁３４について、説明する。
切換弁３４は、その下端部３４ｂに水平方向に延びる回動軸３９が設けられ、回動軸３９を中心に回動可能に設けられている。つまり、切換弁３４は、上端部３４ａが縦孔３６の内壁面の分岐孔３３が形成された側と、分岐孔３３が形成された側と対向する側との間を行き来するように動作する。
【００２１】
切換弁３４は、平板状ではなく、縦孔３６の内壁面に密着可能な形状に形成されている。本実施例では、縦孔３６は断面円形であるので、切換弁３４は円弧状に湾曲して形成されている。円弧は、その曲率半径が縦孔３６の内壁面に密着可能な程度の大きさに形成されている。
切換弁３４が縦孔３６の内壁面に密着しているとき（位置Ａ）、切換弁３４は分岐孔３３を閉塞している。
【００２２】
また、切換弁３４は縦孔３６を隙間無く閉塞することができるように、縦孔３６を閉塞時の投影形状が縦孔３６の径と同一の径を有するように形成される。具体的には、切換弁が縦孔内で約４５度の角度で傾斜して、上端部３４ａが縦孔３６の内壁面（分岐孔３３が形成されている側に対向する側の内壁面）に当接しているとき（位置Ｂ）に、その投影形状が縦孔３６と同一の径を有しており、このとき切換弁３４が縦孔３６を閉塞している。
【００２３】
このように、竪樋３２内部に設けられた切換弁３４は、分岐孔３３と縦孔３６のどちらの孔も閉塞可能に形成されている。
切換弁３４が縦孔３６を閉塞しているとき（位置Ｂ）では縦孔３６内を落下してきた雨水は切換弁３４に当接して分岐孔３３側へ流れる。切換弁３４が分岐孔３３を閉塞しているとき（位置Ａ）では縦孔３６内を落下してきた雨水は分岐孔３３を通過してそのまま縦孔３６内を落下する。
【００２４】
なお、図３に示すように、切換弁３４は、角を丸めた三角形状のような形状な板状の部材を縦孔３６の内壁面に沿うように、円弧状に丸める（矢印Ｃ）ことによって形成される。
【００２５】
次に、切換弁３４を作動させる機構について説明する。
回動軸３９は、ステンレス等の金属製の丸材を用いており、回動軸３９の両端部は竪樋３２に形成された取付孔（図示せず）から外側に突出し、抜け止めが成されて取り付けられている。
竪樋３２の外側に突出した回動軸３９の端部には、アーム４０が固定されている。このアーム４０を作動させることにより、切換弁３４を動作させることができる。アーム４０の先端にはウェイト（図示せず）が取り付けられ、アーム４０の下方への回動動作を迅速に行ない得るようにしている。
【００２６】
アーム４０の先端には、アーム４０を常時上方へつり上げておくための機構が設けられている。
具体的にアーム４０をつり上げておく機構は、アーム４０の先端４０ａに接続されて上方に向かうひも状の部材４２と、ひも状の部材をかけておく滑車４４と、ひも状の部材４２の先端部に設けられてひも状の部材４２を下方に引っ張る役目を有するフロート体４６とから構成される。フロート体４６は、上下方向に延びる2本のガイドシャフト４７，４７の間に配置され、ガイドシャフト４７に貫通するガイドリング４８を介してガイドシャフト４７に沿って上下方向に移動自在に設けられている。なお、実際にはガイドシャフトは１本でも良い。
【００２７】
フロート体４６にはウェイトが取り付けられ、それ自身の重さと取り付けたウェイトの重さによりひも状の部材４２を引っ張り、アーム４０を上方へ引き上げており、これによりアーム４０は常時水平方向に延びる位置（図１の位置Ｘ）に配置される。
このとき、切換弁３４はアーム４０に対して４５度の角度を保っているので、切換弁３４は縦孔３６を常時閉塞しており、雨水は分岐孔３３へ流れる。
【００２８】
なお、フロート体４６は、後述するように雨水を貯留する雨水貯留タンクのサブタンク内に配置され、且つフロート体４６は水中では浮力を得て水に浮かぶような構造を有しているので、貯留された雨水の水位に合わせて上下動する。
水位が上昇すると、フロート体４６もそれに合わせて上昇し、ひも状の部材４２には力が加わらないようになる。すると、切換弁３４の回動軸３９はフリーに回動可能となるように設けられているので、何も力が加わっていないアーム４０は自身の重さと取り付けられたウェイトの重さによってアーム４０が鉛直下向きになるような方向に回動軸３９が回動する。
【００２９】
しかし、アーム４０と切換弁３４とは４５度の傾斜角を持って取り付けられているので、アーム４０の先端が下方に向けて回動している途中で、切換弁３４は縦孔３６の内壁面に当接し、その回動が停止する。この位置（図１の位置Ｙ）が切換弁３４が分岐孔３３を閉塞する位置である。
【００３０】
このように、雨水貯留タンク内の水位が上昇すると自動的に切換弁３４が切り換わって分岐孔３３には雨水を流さないようにできるので、タンクのオーバーフローの防止を図ることができる。
また、この構成は、水位を検出するフロート体４６が、その水位上昇に伴うフロート体４６の動作を切換弁の切換え動作の直接の駆動源としている点が特徴的である。
すなわち、水位の検出においてはセンサ等を用いたりするのではなく、また切換弁の切換え動作においても何ら電気や石油燃料等の外部からのエネルギー供給を必要とせずに実現可能であるので、省エネにも寄与し、また故障などの発生回数も極めて低く抑えることができる。
【００３１】
次に、上述してきた雨水分岐構造を採用した雨水貯留システム全体の構成を図４に示し、これに基づいて雨水貯留システムについて説明する。
雨水貯留システム５０は、上下方向に延びる竪樋３２から雨水分岐構造３０によって分岐された雨水を雨水貯留タンク５１に貯留するためのシステムである。
雨水貯留タンク５１の上部外壁にはサブタンク５２が設けられている。サブタンク５２と雨水貯留タンク５１との間は、互いに連通する連通孔５４によって繋がっている。連通孔５４にはゴミを濾過して雨水貯留タンク５１内に進入させないようにする網体５６が設けられている。
【００３２】
雨水貯留タンク５１にはポンプ（図示せず）が設けられており、このポンプが雨水貯留タンク５１内に貯留された雨水を吸引して散水等に用いることができる。このポンプへ雨水を供給するためにポンプと雨水貯留タンク５１とを接続する接続管（図示せず）には、凍結防止帯が巻かれ雨水の凍結防止を図っている。
【００３３】
サブタンク５２の上面は開口して設けられており、このサブタンク５２の上面開口部から雨水分岐構造３０の分岐管３７の先端部が進入するように配置されている。
すなわち、雨水は分岐管３７を経てまずサブタンク５２内に流入し、サブタンク５２内の水位が連通孔５４まで上昇したときに雨水貯留タンク５１内に連通孔５４から流れ込むように設けられている。
【００３４】
サブタンク５２には、オーバーフロー時に雨水を排出するためのオーバーフロー排出管５５が接続されており、サブタンク５２内がオーバーフローとなって雨水があふれてしまうのを防止することができる。オーバーフロー排出管５５の先端部は竪樋３２に接続されており、オーバーフローした雨水は再び竪樋３２に戻すようにしている。
【００３５】
サブタンク５２内に、上述したフロート体４６が配置される。フロート体４６は、サブタンク５２内の水位に伴って上下動し、水位上昇によって切換弁３４を分岐孔３３を閉塞すさせるように動作する。
【００３６】
このような構成の雨水貯留システム５０によれば、雨水貯留タンク５１の水位が上昇するとサブタンク５２内に水が溜まっていくのでサブタンク５２自体が雨水貯留タンク５１のオーバーフロー防止の役割を果たしている。
しかもサブタンク５２にもオーバーフロー排出管５５が設けられているので、雨水貯留タンク５１がオーバーフローしてしまうのを効果的に防止できる。
さらにサブタンク５２内に設けられたフロート体４６により、サブタンク５２の水位上昇によって分岐管３７からの雨水の供給を停止させることができる。
【００３７】
すなわち、本発明の雨水貯留システムは、オーバーフローの防止を（１）サブタンク５２自体、（２）サブタンク５２に設けられたオーバーフロー排出管５５、（３）切換弁３４の自動切換え機能、の３つの手段を用いてより確実なものとすることができる。
【実施例２】
【００３８】
雨水分岐構造の他の実施例について、図５〜図９に基づいて説明する。
雨水分岐構造６０は、雨樋として上下方向に延びる竪樋３２から雨水を分岐させる構成であり、竪樋３２と、竪樋３２に形成された分岐孔３３と、分岐孔３３から竪樋３２内に進入させたＬ字管６２とを有している。
【００３９】
Ｌ字管６２と竪樋３２との間は抜け止め用のリンクアーム６４によって接続されている。
リンクアーム６４は、その一端側において回動軸６６によって竪樋３２に回動自在に取り付けられており、他端側において回動軸６７によってＬ字管６２に回動自在に取り付けられている。
回動軸６６は、竪樋３２のほぼ中央に設けられており、回動軸６７はＬ字管６２の他端側６２ｂのほぼ中央に設けられている。
【００４０】
Ｌ字管６２は、竪樋３２を流れる雨水を分岐させるために竪樋３２内に挿入されているものであって、竪樋３２内に挿入されている一端側６２ａが、縦孔３６と平行になった位置Ｄと、縦孔３６に直交する方向であって且つ竪樋３２の内壁面近傍の位置Ｅとの間で移動可能となるように回動自在に設けられている。
Ｌ字管６２の回動は、竪樋３２に設けられた回動軸６６を中心にして、Ｌ字管６２の他端側６２ｂに設けられた回動軸６７が回動することによる（図５の矢印Ｆ参照）。
【００４１】
Ｌ字管６２の一端側６２ａが縦孔３６と平行となった位置Ｄにおいては、縦孔３６を流れる雨水はＬ字管６２の一端側６２ａに進入し、Ｌ字管６２の他端側６２ｂ方向へ流れる。
一方、Ｌ字管６２の他端側６２ｂが竪樋３２に平行になるようにＬ字管６２を回動させると、一端側６２ａは縦孔３６に対して直交する方向に位置し且つ縦孔３６内には殆ど突出しないような位置Ｅに配置される。Ｌ字管６２がこの位置Ｅにあるときは、縦孔３６を流れる雨水はＬ字管６２内に進入することなく、そのまま縦孔３６内を落下する。
このようなＬ字管６２の回動動作は、人手によって行なうことができる。
【００４２】
次に、上述してきた雨水分岐構造を採用した雨水貯留システム全体の構成を図１０に示し、これに基づいて雨水貯留システムについて説明する。
雨水貯留システム７０は、上下方向に延びる竪樋３２から雨水分岐構造６０によって分岐された雨水を雨水貯留タンク５１に貯留するためのシステムである。
雨水貯留タンク５１の上部外壁にはサブタンク５２が設けられている。サブタンク５２と雨水貯留タンク５１との間は、互いに連通する連通孔５４によって繋がっている。連通孔５４にはゴミを濾過して雨水貯留タンク５１内に進入させないようにする網体５６が設けられている。
【００４３】
雨水貯留タンク５１にはポンプ（図示せず）が設けられており、このポンプが雨水貯留タンク５１内に貯留された雨水を吸引して散水等に用いることができる。このポンプへ雨水を供給するためにポンプと雨水貯留タンク５１とを接続する接続管（図示せず）には、凍結防止帯が巻かれ雨水の凍結防止を図っている。
【００４４】
サブタンク５２の上面は開口して設けられており、このサブタンク５２の上面開口部から雨水分岐構造６０のＬ字管６２の他端側６２ｂに接続された分岐管６５が進入するように配置されている。
すなわち、雨水は分岐管６５を経てまずサブタンク５２内に流入し、サブタンク５２内の水位が連通孔５４まで上昇したときに雨水貯留タンク５１内に連通孔５４から流れ込むように設けられている。
【００４５】
サブタンク５２には、オーバーフロー時に雨水を排出するためのオーバーフロー排出管５５が接続されており、サブタンク５２内がオーバーフローとなって雨水があふれてしまうのを防止することができる。オーバーフロー排出管５５の先端部は竪樋３２に接続されており、オーバーフローした雨水は再び竪樋３２に戻すようにしている。
【００４６】
このような構成の雨水貯留システム７０においては、サブタンク５２内の水位が上昇したことを確認した場合には、Ｌ字管６２に接続された分岐管６５を取り外し、Ｌ字管６２を一端側６２ａが竪樋３２内から引っ張り出す方向に動作させることで、雨水貯留タンク５１方向へ雨水を分岐させないようにしてオーバーフローの防止を図ることができる。
【実施例３】
【００４７】
次に雨水中のゴミを取るための構造として、図１１に示すゴミ取り構造について説明する。
ゴミ取り構造７９は、竪樋３２に接続し、下方に流れる雨水からゴミを取り除くことができるものである。このようなゴミ取り構造７９は、例えば実施例１や実施例２の雨水分岐構造３０，６０の上方に接続することができ、雨水分岐構造３０，６０に至る前に雨水からゴミを取り除くことができるので、雨水分岐構造３０，６０にゴミを詰まらせたりして雨水分岐構造３０，６０の動作不良等の発生を防止することができる。
【００４８】
ゴミ取り構造７９は、竪樋３２の中途部に、斜め下方向に向けて分岐する分岐部８０を設けて成る。分岐部８０の先端には蓋体８１を嵌めておき、通常は雨水が分岐部８０の先端からは流れ出ないようにしている。
分岐部８０内の分岐孔８２の下面側８２ａと竪樋３２の縦孔３６の内壁面との間にわたって、網体６９を設ける。網体６９は、分岐部８０の傾斜に沿って設けられている。
また、ゴミを取る場合には、蓋体８１を外して手を分岐部８０内に入れ、網体６９上のゴミを取り出すようにする。
【００４９】
このように、雨樋中のゴミ取り構造として、分岐部を有する管内に網体６９を取り付けるだけで実現可能であるので、ゴミ取り構造を低コストで提供することができる。
【００５０】
以上本発明につき好適な実施例を挙げて種々説明したが、本発明はこの実施例に限定されるものではなく、発明の精神を逸脱しない範囲内で多くの改変を施し得るのはもちろんである。
例えば、竪樋の内部の縦孔や分岐孔はそれぞれ断面円形のものについて説明したが、それぞれ他の形状（四角形等）であってもよいことはもちろんである。
【図面の簡単な説明】
【００５１】
【図１】本発明にかかる雨水分岐構造の実施例１の構成を示す側面図である。
【図２】切換弁の概略構造と動作を説明する説明図である。
【図３】切換弁の展開図である。
【図４】実施例１の雨水分岐構造を用いた雨水貯留システムの全体構造を示した斜視図である。
【図５】本発明にかかる雨水分岐構造の実施例２の構成を示す側面図である。
【図６】図５の側面図においてＬ字管を動作させている途中を示す側面図である。
【図７】Ｌ字管を動作させて図５の状態から雨水を分岐させないようにしたところを示す側面図である。
【図８】図５の断面図である。
【図９】図７の断面図である。
【図１０】実施例２の雨水分岐構造を用いた雨水貯留システムの全体構造を示した斜視図である。
【図１１】ゴミ取り構造を示す断面図である。
【図１２】従来の雨水分岐構造を示す説明図である。
【符号の説明】
【００５２】
３０，６０    雨水分岐構造
３２   竪樋
３３   分岐孔
３４   切換弁
３６   縦孔
３７，６５    分岐管
３９，６６，６７     回動軸
４０   アーム
４２   ひも状の部材
４４   滑車
４６   フロート体
４７   ガイドシャフト
４８   ガイドリング
５０，７０    雨水貯留システム
５１   雨水貯留タンク
５２   サブタンク
５４   連通孔
５５   オーバーフロー排出管
５６，６９    網体
６２   Ｌ字管
６４   リンクアーム
７９   ゴミ取り構造
８０   分岐部
８１   蓋体
８２   分岐孔
【図１】
2005113610.tif 000003
【図２】
2005113610.tif 000004
【図３】
2005113610.tif 000005
【図４】
2005113610.tif 000006
【図５】
2005113610.tif 000007
【図６】
2005113610.tif 000008
【図７】
2005113610.tif 000009
【図８】
2005113610.tif 000010
【図９】
2005113610.tif 000011
【図１０】
2005113610.tif 000012
【図１１】
2005113610.tif 000013
【図１２】
2005113610.tif 000014